(57)【要約】【課題】家庭で使用したいときに、素早く取り出せ、保管中に紛失することがないように、カレンダーと組み合わせるようにしたカレンダー付き伝票収納体を提供する。【解決手段】  カレンダー付き伝票収納体１０は、ベースシートとなる台紙１１と、台紙１１に接着剤ｎ１により設けられた伝票収納部１２と、台紙１１に少なくとも一端縁部が接着剤ｎ２により貼り合せられた６枚のカレンダー片１３−１〜１３−６が積層され、カレンダー片１３−１〜１３−６がミシン目ｍ４で分離可能なカレンダー部１３と、台紙１１の一端縁部の少なくとも一部に、三角柱を形成するときに、その端縁部同士を接合する接合手段となる粘着テープ１４を備え、台紙１１をミシン目ｍ１からｍ３で折り畳んで三角柱状にしたときに、その三角柱の３側面のうちの２面が、それぞれ伝票収納部１１、カレンダー部１２となる。【選択図】図３
2005047200.tif 000002
【特許請求の範囲】
【請求項１】
ベースシートと、
前記ベースシートに設けられた伝票収納部と、
前記ベースシートに、少なくとも一端縁部が貼り合せられたカレンダー片が積層されたカレンダー部とを備え、
前記ベースシートを折り畳んで三角柱状にしたときに、その三角柱の３側面のうちの２面が、それぞれ前記伝票収納部、前記カレンダー部となるようにしたこと、
を特徴とするカレンダー付き伝票収納体。
【請求項２】
請求項１に記載されたカレンダー付き伝票収納体において、
前記ベースシートは、シ−トを２枚以上貼り合せたものであり、
前記伝票収納部は、そのシ−トの一部により形成されたものであること、
を特徴とするカレンダー付き伝票収納体。
【請求項３】
請求項１又は請求項２に記載されたカレンダー付き伝票収納体において、
前記ベースシートを三角柱状に折り畳む折畳み予定部を備え、
前記ベースシートは、シ−トを２枚以上貼り合せたものであり、
前記折畳み予定部は、前記ベースシートの折畳み後に表出しない裏面側のシートにのみ形成されたこと、
を特徴とするカレンダー付き伝票収納体。
【請求項４】
請求項１から請求項３までのいずれか１項に記載されたカレンダー付き伝票収納体において、
前記ベースシートの一端縁部の少なくとも一部に、前記三角柱を形成するときに、その端縁部同士を接合する接合手段を備えたこと、
を特徴とするカレンダー付き伝票収納体。
【発明の詳細な説明】
【技術分野】
【０００１】
本発明は、配送伝票などを収納して、ポスティングするのに適した伝票収納体に関するものである。
【背景技術】
【０００２】
家庭や法人で宅配を依頼するときの利便性を高めるために、あらかじめ伝票を配布している場合がある。
伝票をあらかじめ配布しておけば、例えば、送り先の住所や氏名、電話番号といった必要事項をメモ書きして出向く必要がなくなるため、送る側（依頼人）は身軽に宅配を依頼できるようになり、また、荷物の宅配を受け付ける宅配業者側も手続きが短時間で完了するため非常に利便性が高い。
こういった背景から、宅配業者では家庭や法人に対して、要求があれば伝票を提供している。
【０００３】
しかし、そういった伝票の提供が受けられることを知らない依頼人は、未だに店頭に荷物を持って出向き、その場でメモを見ながら宅配を申し込まざるを得ず、結果的に利便性が低くなる。
【０００４】
そこで、これらを改善するために、宅配業者自ら、配達時の合間に配達先の周辺ポストへ投げ込む方式で伝票の提供を実施している。このとき、伝票単体を投げ込むと「嫌がらせ」「イタズラ」と思われてしまったり、あるいは、ポストの中で折れ曲がったりして、実際に伝票として使用できない、といった自体に陥る可能性がある。
このため、通常は『ポスティング封筒』と呼ばれる収納袋に入れて、ポストへ投げ込んだり、手渡ししている。
【０００５】
ポスティング封筒は、伝票の収納場所的な意味合いも込めており、さらに、表出面に広告宣伝を入れて、依頼人に対して宅配便の様々なサービスを訴求してある場合が多いが、いざ使おうと思ったときに、伝票が見つからなかったり、その時点で宅配を依頼する予定があまりないと感じた場合は、そのまま廃棄されてしまい、結局、宅配依頼時にあらためて、伝票を頼んだりしなくてはならなかった。
そこで、例えば特許文献１に見られるように、伝票表面に広告票を設けることで対応していた。
しかしながら、特許文献１のような広告票付き配送伝票を利用したとしても、広告自体は一度読んだ後は不要となるので保存されずに廃棄される場合があった。
【特許文献１】特開２００１−２４６８７６号公報
【発明の開示】
【発明が解決しようとする課題】
【０００６】
本発明の課題は、家庭で使用したいときに、素早く取り出せ、保管中に紛失することがないように、カレンダーと組み合わせるようにしたカレンダー付き伝票収納体を提供することである。
【課題を解決するための手段】
【０００７】
前記課題を解決するために、請求項１の発明は、ベースシートと、前記ベースシートに設けられた伝票収納部と、前記ベースシートに、少なくとも一端縁部が貼り合せられたカレンダー片が積層されたカレンダー部とを備え、前記ベースシートを折り畳んで三角柱状にしたときに、その三角柱の３側面のうちの２面が、それぞれ前記伝票収納部、前記カレンダー部となるようにしたこと、を特徴とするカレンダー付き伝票収納体である。
【０００８】
請求項２の発明は、請求項１に記載されたカレンダー付き伝票収納体において、前記ベースシートは、シ−トを２枚以上貼り合せたものであり、前記伝票収納部は、そのシ−トの一部により形成されたものであること、を特徴とするカレンダー付き伝票収納体である。
【０００９】
請求項３の発明は、請求項１又は請求項２に記載されたカレンダー付き伝票収納体において、前記ベースシートを三角柱状に折り畳む折畳み予定部を備え、前記ベースシートは、シ−トを２枚以上貼り合せたものであり、前記折畳み予定部は、前記ベースシートの折畳み後に表出しない裏面側のシートにのみ形成されたこと、を特徴とするカレンダー付き伝票収納体である。
【００１０】
請求項４の発明は、請求項１から請求項３までのいずれか１項に記載されたカレンダー付き伝票収納体において、前記ベースシートの一端縁部の少なくとも一部に、前記三角柱を形成するときに、その端縁部同士を接合する接合手段を備えたこと、を特徴とするカレンダー付き伝票収納体である。
【発明の効果】
【００１１】
以上詳しく説明したように、本発明によれば、伝票収納部に配送伝票を収納して配布しておけば、家庭で使用したいときに、素早く取り出せ、保管中に紛失することがないとともに、カレンダー部があるので、そのまま廃棄されてしまう可能性が少ない。
【発明を実施するための最良の形態】
【００１２】
本発明は、保管中の紛失を防止するという目的を、カレンダーと組み合わせることよって実現した。
【実施例１】
【００１３】
以下、図面等を参照して、本発明の実施例をあげて、さらに詳しく説明する。
図１〜図３は、本発明によるカレンダー付き伝票収納体の実施例１を示す図であって、図１は外観斜視図、図２は平面図、図３は断面図である。
実施例１のカレンダー付き伝票収納体１０は、ベースシートとなる台紙１１と、台紙１１に接着剤ｎ１により設けられた伝票収納部１２と、台紙１１に少なくとも一端縁部が接着剤ｎ２により貼り合せられた６枚のカレンダー片１３−１〜１３−６が積層され、カレンダー片１３−１〜１３−６がミシン目ｍ４で分離可能なカレンダー部１３とを備えている。
【００１４】
このカレンダー付き伝票収納体１０は、台紙１１をミシン目ｍ１からｍ３で折り畳んで三角柱状にしたときに、図１に示すように、その三角柱の３側面のうちの２面が、それぞれ伝票収納部１１、カレンダー部１２となり、残りの１面が底面となる。
【００１５】
また、カレンダー付き伝票収納体１０は、台紙１１の一端縁部の少なくとも一部に、前述した三角柱を形成するときに、その端縁部同士を接合する接合手段となる粘着テープ１４を備えている。
【００１６】
宅配業者は、図２の状態で、伝票収納部１２に配送伝票を収納して、配達時の合間に配達先の周辺へポスティングする。利用者は、図１の状態に台紙１１を折り畳んで、粘着テープ１４で接合して三角柱状にする。すると、三角柱の２面が、それぞれ伝票収納部１１、カレンダー部１２となり、底面を下にして立てることができる。
【００１７】
実施例１によれば、伝票収納部１２に配送伝票を収納して配布しておけば、家庭で使用したいときに、素早く取り出せ、保管中に紛失することがない。このとき、カレンダー部１２があるので、そのまま廃棄されてしまう可能性が少ない。
【実施例２】
【００１８】
図４は、本発明によるカレンダー付き伝票収納体の実施例２を示す断面図である。
なお、以下に示す各実施例では、前述した実施例１と同様な機能を果たす部分には、同一の符号又は末尾に統一した符号を付して、重複する説明や図面を適宜省略する。
実施例２のカレンダー付き伝票収納体１０−２では、台紙１１は、用紙１１−１、１１−２を２枚貼り合せたものであり、伝票収納部１２は、その用紙１１−１により形成されたものである。
【００１９】
台紙１１は厚紙が良いが、印刷をフォーム用オフセット印刷機、貼り合せ工程をフォーム用コレータで実施する場合に、厚すぎる用紙は機械的に対応できない可能性が生じるため、（例えば、フォーム印刷機やコレータで実績のある）薄用紙を重ねて貼り合わせることで、カレンダーとしてキチンと立つような強度を保つことができる。
【００２０】
また、台紙１１は、折り畳む折畳み予定部となるミシン目ｍ１〜ｍ３を備えているが、実施例２のように、台紙１１が２枚の用紙を貼り合せたものであるときには、ミシン目ｍ１〜ｍ３は、台紙１１の折畳み後に表出しない裏面側の用紙１１−２にのみ形成することが好ましい。
【００２１】
実施例２によれば、既存の設備や材料を有効に使用でき、しかも、できあがりの見栄えもよい。
【実施例３】
【００２２】
図５、図６は、本発明によるカレンダー付き伝票収納体の実施例３を示す図であって、図５は平面図、図６は断面図である。
実施例３のカレンダー付き伝票収納体１０−３では、端縁部を粘着テープ１４で貼り合わせる代わりに、切り込み１５を設け、他方の端縁部１１ａが、その切り込み１４に差し込まれることで、三角柱状を形成させる形態である。
実施例３によれば、切り込み１５を入れるだけであるので、粘着テープ１４を貼るよりも、製造が簡単で、コストダウンを図ることができる。
【実施例４】
【００２３】
図７は、本発明によるカレンダー付き伝票収納体の実施例４を示す断面図である。
実施例４のカレンダー付き伝票収納体１０−４は、カレンダーの表紙１３−７に、カレンダーに貼るスケジュール管理用のラベル１６を設けるようにしたものである。
実施例４によれば、カレンダー部１３の利便性を高め、廃棄されてしまう可能性をより少なくすることができる。
【００２４】
（変形例）
以上説明した実施例に限定されることなく、種々の変形や変更が可能であって、それらも本発明の均等の範囲内である。
（１）折畳み予定部については、ミシン目の例で説明したが、スリット、ハーフカットなどの加工を施すようにしてもよい。
（２）接合手段は、粘着テープ、切り欠きを例にしたが、「のろしろ」を設け、端縁部同士を貼り合せたるようにしてもよい。
（３）実施例４のラベル１６は、カレンダーに貼るスケジュール管理用の例で説明したが、配送対象の荷物にはる「ワレモノ」、「保冷配送」などの注意やサービス用のラベルであってもよい。
【図面の簡単な説明】
【００２５】
【図１】本発明によるカレンダー付き伝票収納体の実施例１を示す外観斜視図である。
【図２】本発明によるカレンダー付き伝票収納体の実施例１を示す平面図である。
【図３】本発明によるカレンダー付き伝票収納体の実施例１を示す断面図である。
【図４】本発明によるカレンダー付き伝票収納体の実施例２を示す断面図である。
【図５】本発明によるカレンダー付き伝票収納体の実施例３を示す平面図である。
【図６】本発明によるカレンダー付き伝票収納体の実施例３を示す断面図である。
【図７】本発明によるカレンダー付き伝票収納体の実施例４を示す断面図である。
【符号の説明】
【００２６】
１０  カレンダー付き伝票収納体
１１  台紙
１２  伝票収納部
１３  カレンダー部
１３−１〜１３−６  カレンダー片
１４  粘着テープ
１５  切り込み
【図１】
2005047200.tif 000003
【図２】
2005047200.tif 000004
【図３】
2005047200.tif 000005
【図４】
2005047200.tif 000006
【図５】
2005047200.tif 000007
【図６】
2005047200.tif 000008
【図７】
2005047200.tif 000009